【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定することと、
前記決定されたビット数に少なくとも部分的に基づいて、前記ＰＵＣＣＨ  ＡＣＫ／ＮＡＫペイロードのフォーマットを選択することとを備え、
前記選択されたフォーマットは、複数のシンボル期間を備え、
ウォルシュコードを使用する拡散率２が、前記選択されたフォーマットの前記シンボル期間の各々に適用される、
方法。
【請求項２】
前記ＰＵＣＣＨ  ＡＣＫ／ＮＡＫペイロードの前記フォーマットを選択することが、
前記ＰＵＣＣＨ  ＡＣＫ／ＮＡＫペイロードのための複数のあらかじめ定義されたフォーマットのうちの１つを選択することを備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数の異なる組合せを備える、請求項１に記載の方法。
【請求項３】
前記ＰＵＣＣＨ  ＡＣＫ／ＮＡＫペイロードのための前記あらかじめ定義されたフォーマットの各々が、スロットごとに２つの基準信号シンボル期間を備えるフォーマットに少なくとも部分的に基づく、請求項２に記載の方法。
【請求項４】
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、請求項１に記載の方法。
【請求項５】
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、請求項１に記載の方法。
【請求項６】
前記ＰＵＣＣＨ  ＡＣＫ／ＮＡＫペイロードの前記フォーマットを選択することが、
前記ＰＵＣＣＨ  ＡＣＫ／ＮＡＫペイロード中に含まれるべき前記ビット数を複数のビット範囲と比較することと、
前記比較することに少なくとも部分的に基づいて前記ＰＵＣＣＨ  ＡＣＫ／ＮＡＫペイロードの前記フォーマットを選択することとを備える、請求項１に記載の方法。
【請求項７】
前記ＵＥにおいて、前記ＵＥのためにスケジュールされた前記ダウンリンクＣＣを示すいくつかのダウンリンク許可を受信することと、
前記ダウンリンク許可の各々とともに、それぞれのダウンリンク割当てインデックス（ＤＡＩ）を受信することとをさらに備える、請求項１に記載の方法。
【請求項８】
ワイヤレス通信のための装置であって、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定するための手段と、
前記決定されたビット数に少なくとも部分的に基づいて、前記ＰＵＣＣＨ  ＡＣＫ／ＮＡＫペイロードのフォーマットを選択するための手段とを備え、
前記選択されたフォーマットは、複数のシンボル期間を備え、
ウォルシュコードを使用する拡散率２が、前記選択されたフォーマットの前記シンボル期間の各々に適用される、
装置。
【請求項９】
前記ＰＵＣＣＨ  ＡＣＫ／ＮＡＫペイロードの前記フォーマットを選択するための前記手段が、
前記ＰＵＣＣＨ  ＡＣＫ／ＮＡＫペイロードのための複数のあらかじめ定義されたフォーマットのうちの１つを選択するための手段を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数の異なる組合せを備える、請求項８に記載の装置。
【請求項１０】
前記ＰＵＣＣＨ  ＡＣＫ／ＮＡＫペイロードのための前記あらかじめ定義されたフォーマットの各々が、スロットごとに２つの基準信号シンボル期間を備えるフォーマットに少なくとも部分的に基づく、請求項８に記載の装置。
【請求項１１】
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、請求項８に記載の装置。
【請求項１２】
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、請求項８に記載の装置。
【請求項１３】
前記ＰＵＣＣＨ  ＡＣＫ／ＮＡＫペイロードの前記フォーマットを選択することが、
前記ＰＵＣＣＨ  ＡＣＫ／ＮＡＫペイロード中に含まれるべき前記ビット数を複数のビット範囲と比較するための手段と、
前記比較することに少なくとも部分的に基づいて前記ＰＵＣＣＨ  ＡＣＫ／ＮＡＫペイロードの前記フォーマットを選択するための手段とを備える、請求項８に記載の装置。
【請求項１４】
前記ＵＥのための複数のダウンリンクＣＣの割振りを識別するための手段と、
前記複数のダウンリンクＣＣ内のダウンリンクＣＣの第１のサブセットを識別するための手段とをさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、請求項８に記載の装置。
【請求項１５】
コンピュータ上で実行されるとき、請求項１乃至７のうちの１つにしたがった方法を実行するための命令を備える、コンピュータプログラム。
【手続補正２】
【補正対象書類名】明細書
【補正対象項目名】０２２８
【補正方法】変更
【補正の内容】
【０２２８】
[0244]  本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明された例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ワイヤレス通信のための方法であって、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定することと、
前記決定されたビット数に少なくとも部分的に基づいて、前記ＰＵＣＣＨ  ＡＣＫ／ＮＡＫペイロードのフォーマットを選択することとを備える、方法。
［Ｃ２］
前記ＰＵＣＣＨ  ＡＣＫ／ＮＡＫペイロードの前記フォーマットを選択することが、
前記ＰＵＣＣＨ  ＡＣＫ／ＮＡＫペイロードのための複数のあらかじめ定義されたフォーマットのうちの１つを選択することを備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数の異なる組合せを備える、Ｃ１に記載の方法。
［Ｃ３］
前記ＰＵＣＣＨ  ＡＣＫ／ＮＡＫペイロードのための前記あらかじめ定義されたフォーマットの各々が、スロットごとに２つの基準信号シンボル期間を備えるフォーマットに少なくとも部分的に基づく、Ｃ２に記載の方法。
［Ｃ４］
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、Ｃ１に記載の方法。
［Ｃ５］
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、Ｃ１に記載の方法。
［Ｃ６］
前記ＰＵＣＣＨ  ＡＣＫ／ＮＡＫペイロードの前記フォーマットを選択することが、
前記ＰＵＣＣＨ  ＡＣＫ／ＮＡＫペイロード中に含まれるべき前記ビット数を複数のビット範囲と比較することと、
前記比較することに少なくとも部分的に基づいて前記ＰＵＣＣＨ  ＡＣＫ／ＮＡＫペイロードの前記フォーマットを選択することとを備える、Ｃ１に記載の方法。
［Ｃ７］
前記ＰＵＣＣＨ  ＡＣＫ／ＮＡＫペイロードの前記選択されたフォーマットが、
少なくとも４つのＵＥの、ＲＢ内のＵＥ多重化密度を備える、Ｃ６に記載の方法。
［Ｃ８］
前記ＰＵＣＣＨ  ＡＣＫ／ＮＡＫペイロードの前記選択されたフォーマットは、
２つのＵＥの、ＲＢ内のＵＥ多重化密度と、
シンボル期間の少なくとも２つのグループと、ここにおいて、シンボル期間の前記少なくとも２つのグループの各々が少なくとも１つのシンボルを備え、ここにおいて、シンボル期間の前記少なくとも２つのグループの各々内で拡散が独立して適用される、を備える、Ｃ６に記載の方法。
［Ｃ９］
拡散率３が３つのシンボル期間の第１のグループに適用され、拡散率２が２つのシンボル期間の第２のグループに適用され、ここにおいて、前記拡散率３を適用するときに、３つの直交カバーコード（ＯＣＣ）のうちの２つが使用される、Ｃ８に記載の方法。
［Ｃ１０］
第１の拡散率２が１つのシンボル期間の第１のグループに適用され、第２の拡散率２が２つのシンボル期間の第２のグループに適用され、第３の拡散率２が２つのシンボル期間の第３のグループに適用される、Ｃ８に記載の方法。
［Ｃ１１］
前記第１の拡散率が、ウォルシュコードを使用して、または直交高速フーリエ変換（ＦＦＴ）行列の要素を使用して適用される、Ｃ１０に記載の方法。
［Ｃ１２］
複数の拡散率２の各拡散率が複数のシンボル期間のそれぞれのシンボル期間に適用される、Ｃ８に記載の方法。
［Ｃ１３］
前記複数の拡散率２の各拡散率が、ウォルシュコードを使用して、または直交ＦＦＴ行列の要素を使用して適用される、Ｃ１２に記載の方法。
［Ｃ１４］
前記ＰＵＣＣＨ  ＡＣＫ／ＮＡＫペイロードの前記選択されたフォーマットが、
ＲＢ内のＵＥ多重化を備えず、
拡散率を備えず、
１のシンボル期間ごとＲＢ割振りを備える、Ｃ６に記載の方法。
［Ｃ１５］
前記ＰＵＣＣＨ  ＡＣＫ／ＮＡＫペイロードの前記選択されたフォーマットが、
ＲＢ内のＵＥ多重化を備えず、
拡散率を備えず、
２のシンボル期間ごとＲＢ割振りを備える、Ｃ６に記載の方法。
［Ｃ１６］
前記ＰＵＣＣＨ  ＡＣＫ／ＮＡＫペイロードの前記選択されたフォーマットが、
ＲＢ内のＵＥ多重化を備えず、
拡散率を備えず、
３のシンボル期間ごとＲＢ割振りを備える、Ｃ６に記載の方法。
［Ｃ１７］
前記ＵＥのための複数のダウンリンクＣＣの割振りを識別することと、
前記複数のダウンリンクＣＣ内のダウンリンクＣＣの第１のサブセットを識別することとをさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、Ｃ１に記載の方法。
［Ｃ１８］
前記ＰＵＣＣＨ  ＡＣＫ／ＮＡＫペイロードが第１のＰＵＣＣＨ  ＡＣＫ／ＮＡＫペイロードを備え、前記方法が、
前記複数のダウンリンクＣＣ内のダウンリンクＣＣの第２のサブセットを識別することをさらに備え、ここにおいて、ダウンリンクＣＣの前記第２のサブセットが第２のＰＵＣＣＨ  ＡＣＫ／ＮＡＫペイロードに対応する、Ｃ１７に記載の方法。
［Ｃ１９］
第１のアップリンクＣＣ上で前記第１のＰＵＣＣＨ  ＡＣＫ／ＮＡＫペイロードを送信することと、
第２のアップリンクＣＣ上で前記第２のＰＵＣＣＨ  ＡＣＫ／ＮＡＫペイロードを送信することとをさらに備える、Ｃ１８に記載の方法。
［Ｃ２０］
同じアップリンクＣＣ上で前記第１のＰＵＣＣＨ  ＡＣＫ／ＮＡＫペイロードと前記第２のＰＵＣＣＨ  ＡＣＫ／ＮＡＫペイロードとを送信することをさらに備える、Ｃ１８に記載の方法。
［Ｃ２１］
前記ＵＥにおいて、前記ＵＥのためにスケジュールされた前記ダウンリンクＣＣを示すいくつかのダウンリンク許可を受信することと、
前記ダウンリンク許可の各々とともに、それぞれのダウンリンク割当てインデックス（ＤＡＩ）を受信することとをさらに備える、Ｃ１に記載の方法。
［Ｃ２２］
ダウンリンク許可のための前記それぞれのＤＡＩが、前記ダウンリンク許可中でスケジュールされた各ダウンリンクＣＣを介した各送信に肯定応答／否定応答するために、前記ＰＵＣＣＨ  ＡＣＫ／ＮＡＫペイロード中でビットマッピングとリソース選択とを示す、Ｃ２１に記載の方法。
［Ｃ２３］
ダウンリンク許可のための前記それぞれのＤＡＩが、前記ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を備え、前記方法が、
前記ダウンリンク許可中でスケジュールされた各ダウンリンクＣＣを介した各送信に肯定応答／否定応答するために、前記シーケンス番号に少なくとも部分的に基づいて、前記ＰＵＣＣＨ  ＡＣＫ／ＮＡＫペイロード中でビットマッピングとリソース選択とを決定することをさらに備える、Ｃ２１に記載の方法。
［Ｃ２４］
基地局から前記ＵＥに、前記ＵＥのためにスケジュールされた前記ダウンリンクＣＣを示す複数のダウンリンク許可を送信することと、
複数のＤＡＩを送信することと、ここにおいて、前記複数のダウンリンク許可の各々が前記複数のＤＡＩ中の前記ＤＡＩのそれぞれの１つを含む、をさらに備える、Ｃ１に記載の方法。
［Ｃ２５］
前記複数のＤＡＩが複数のシーケンス番号を備え、前記方法が、
前記ＰＵＣＣＨ  ＡＣＫ／ＮＡＫペイロード中に含まれるべき前記ビット数を増加させるために、前記複数のシーケンス番号中にシーケンス不連続性を導入することをさらに備える、Ｃ２４に記載の方法。
［Ｃ２６］
前記ＰＵＣＣＨ  ＡＣＫ／ＮＡＫペイロードを受信することと、
前記ＰＵＣＣＨ  ＡＣＫ／ＮＡＫペイロード中のＡＣＫ／ＮＡＫビットのセットを使用することと、ＡＣＫ／ＮＡＫビットの前記セットが仮想巡回冗長検査（ＣＲＣ）として前記シーケンス不連続性に対応する、をさらに備える、Ｃ２５に記載の方法。
［Ｃ２７］
前記ＵＥにおいて、少なくとも２つの異なるアップリンクＣＣを識別するＡＣＫ／ＮＡＫリソースインジケータ（ＡＲＩ）を受信することをさらに備える、Ｃ１に記載の方法。
［Ｃ２８］
前記ＵＥにおいて、前記ＵＥのためにスケジュールされた前記ダウンリンクＣＣを示すいくつかのダウンリンク許可を受信することをさらに備え、
ここにおいて、前記ＰＵＣＣＨ  ＡＣＫ／ＮＡＫペイロードの前記フォーマットを選択することが、前記ＰＵＣＣＨ  ＡＣＫ／ＮＡＫペイロードを送信するために使用されるフォーマットを選択することを備える、Ｃ１に記載の方法。
［Ｃ２９］
基地局から前記ＵＥに、前記ＵＥのためにスケジュールされた前記ダウンリンクＣＣを示す複数のダウンリンク許可を送信することをさらに備え、
ここにおいて、前記ＰＵＣＣＨ  ＡＣＫ／ＮＡＫペイロードの前記フォーマットを選択することが、前記ＰＵＣＣＨ  ＡＣＫ／ＮＡＫペイロードを復号するために使用されるフォーマットを選択することを備える、Ｃ１に記載の方法。
［Ｃ３０］
ダウンリンクＣＣの少なくとも２つのグループを構成することをさらに備え、ここにおいて、前記ＰＵＣＣＨ  ＡＣＫ／ＮＡＫペイロードの前記フォーマットを選択することが、ダウンリンクＣＣの前記少なくとも２つのグループの各々について実行される、Ｃ１に記載の方法。
［Ｃ３１］
ダウンリンクＣＣの少なくとも２つのグループを構成することをさらに備え、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、Ｃ１に記載の方法。
［Ｃ３２］
ワイヤレス通信のための装置であって、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定するための手段と、
前記決定されたビット数に少なくとも部分的に基づいて、前記ＰＵＣＣＨ  ＡＣＫ／ＮＡＫペイロードのフォーマットを選択するための手段とを備える、装置。
［Ｃ３３］
前記ＰＵＣＣＨ  ＡＣＫ／ＮＡＫペイロードの前記フォーマットを選択するための前記手段が、
前記ＰＵＣＣＨ  ＡＣＫ／ＮＡＫペイロードのための複数のあらかじめ定義されたフォーマットのうちの１つを選択するための手段を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数の異なる組合せを備える、Ｃ３２に記載の装置。
［Ｃ３４］
前記ＰＵＣＣＨ  ＡＣＫ／ＮＡＫペイロードのための前記あらかじめ定義されたフォーマットの各々が、スロットごとに２つの基準信号シンボル期間を備えるフォーマットに少なくとも部分的に基づく、Ｃ３３に記載の装置。
［Ｃ３５］
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、Ｃ３２に記載の装置。
［Ｃ３６］
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、Ｃ３２に記載の装置。
［Ｃ３７］
前記ＰＵＣＣＨ  ＡＣＫ／ＮＡＫペイロードの前記フォーマットを選択することが、
前記ＰＵＣＣＨ  ＡＣＫ／ＮＡＫペイロード中に含まれるべき前記ビット数を複数のビット範囲と比較するための手段と、
前記比較することに少なくとも部分的に基づいて前記ＰＵＣＣＨ  ＡＣＫ／ＮＡＫペイロードの前記フォーマットを選択するための手段とを備える、Ｃ３２に記載の装置。
［Ｃ３８］
前記ＰＵＣＣＨ  ＡＣＫ／ＮＡＫペイロードの前記選択されたフォーマットが、
少なくとも４つのＵＥの、ＲＢ内のＵＥ多重化密度を備える、Ｃ３７に記載の装置。
［Ｃ３９］
前記ＰＵＣＣＨ  ＡＣＫ／ＮＡＫペイロードの前記選択されたフォーマットは、
２つのＵＥの、ＲＢ内のＵＥ多重化密度と、
シンボル期間の少なくとも２つのグループと、ここにおいて、シンボル期間の前記少なくとも２つのグループの各々が少なくとも１つのシンボルを備え、ここにおいて、シンボル期間の前記少なくとも２つのグループの各々内で拡散が独立して適用される、を備える、Ｃ３７に記載の装置。
［Ｃ４０］
拡散率３が３つのシンボル期間の第１のグループに適用され、拡散率２が２つのシンボル期間の第２のグループに適用され、ここにおいて、前記拡散率３を適用するときに、３つの直交カバーコード（ＯＣＣ）のうちの２つが使用される、Ｃ３９に記載の装置。
［Ｃ４１］
第１の拡散率２が１つのシンボル期間の第１のグループに適用され、第２の拡散率２が２つのシンボル期間の第２のグループに適用され、第３の拡散率２が２つのシンボル期間の第３のグループに適用される、Ｃ３９に記載の装置。
［Ｃ４２］
前記第１の拡散率が、ウォルシュコードを使用して、または直交高速フーリエ変換（ＦＦＴ）行列の要素を使用して適用される、Ｃ４１に記載の装置。
［Ｃ４３］
複数の拡散率２の各拡散率が複数のシンボル期間のそれぞれのシンボル期間に適用される、Ｃ３９に記載の装置。
［Ｃ４４］
前記複数の拡散率２の各拡散率が、ウォルシュコードを使用して、または直交ＦＦＴ行列の要素を使用して適用される、Ｃ４３に記載の装置。
［Ｃ４５］
前記ＰＵＣＣＨ  ＡＣＫ／ＮＡＫペイロードの前記選択されたフォーマットが、
ＲＢ内のＵＥ多重化を備えず、
拡散率を備えず、
１のシンボル期間ごとＲＢ割振りを備える、Ｃ３７に記載の装置。
［Ｃ４６］
前記ＰＵＣＣＨ  ＡＣＫ／ＮＡＫペイロードの前記選択されたフォーマットが、
ＲＢ内のＵＥ多重化を備えず、
拡散率を備えず、
２のシンボル期間ごとＲＢ割振りを備える、Ｃ３７に記載の装置。
［Ｃ４７］
前記ＰＵＣＣＨ  ＡＣＫ／ＮＡＫペイロードの前記選択されたフォーマットが、
ＲＢ内のＵＥ多重化を備えず、
拡散率を備えず、
３のシンボル期間ごとＲＢ割振りを備える、Ｃ３７に記載の装置。
［Ｃ４８］
前記ＵＥのための複数のダウンリンクＣＣの割振りを識別するための手段と、
前記複数のダウンリンクＣＣ内のダウンリンクＣＣの第１のサブセットを識別するための手段とをさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、Ｃ３２に記載の装置。
［Ｃ４９］
前記ＰＵＣＣＨ  ＡＣＫ／ＮＡＫペイロードが第１のＰＵＣＣＨ  ＡＣＫ／ＮＡＫペイロードを備え、前記装置が、
前記複数のダウンリンクＣＣ内のダウンリンクＣＣの第２のサブセットを識別するための手段をさらに備え、ここにおいて、ダウンリンクＣＣの前記第２のサブセットが第２のＰＵＣＣＨ  ＡＣＫ／ＮＡＫペイロードに対応する、Ｃ４８に記載の装置。
［Ｃ５０］
第１のアップリンクＣＣ上で前記第１のＰＵＣＣＨ  ＡＣＫ／ＮＡＫペイロードを送信するための手段と、
第２のアップリンクＣＣ上で前記第２のＰＵＣＣＨ  ＡＣＫ／ＮＡＫペイロードを送信するための手段とをさらに備える、Ｃ４９に記載の装置。
［Ｃ５１］
同じアップリンクＣＣ上で前記第１のＰＵＣＣＨ  ＡＣＫ／ＮＡＫペイロードと前記第２のＰＵＣＣＨ  ＡＣＫ／ＮＡＫペイロードとを送信するための手段をさらに備える、Ｃ４９に記載の装置。
［Ｃ５２］
前記ＵＥにおいて、前記ＵＥのためにスケジュールされた前記ダウンリンクＣＣを示すいくつかのダウンリンク許可を受信するための手段と、
前記ダウンリンク許可の各々とともに、それぞれのダウンリンク割当てインデックス（ＤＡＩ）を受信するための手段とをさらに備える、Ｃ３２に記載の装置。
［Ｃ５３］
ダウンリンク許可のための前記それぞれのＤＡＩが、前記ダウンリンク許可中でスケジュールされた各ダウンリンクＣＣを介した各送信に肯定応答／否定応答するために、前記ＰＵＣＣＨ  ＡＣＫ／ＮＡＫペイロード中でビットマッピングとリソース選択とを示す、Ｃ５２に記載の装置。
［Ｃ５４］
ダウンリンク許可のための前記それぞれのＤＡＩが、前記ダウンリンク許可中でスケジュールされた少なくとも１つのダウンリンクＣＣと、別のダウンリンク許可中でスケジュールされた少なくとも１つのダウンリンクＣＣとの間の関係を示すシーケンス番号を備え、前記装置が、
前記ダウンリンク許可中でスケジュールされた各ダウンリンクＣＣを介した各送信に肯定応答／否定応答するために、前記シーケンス番号に少なくとも部分的に基づいて、前記ＰＵＣＣＨ  ＡＣＫ／ＮＡＫペイロード中でビットマッピングとリソース選択とを決定するための手段をさらに備える、Ｃ５２に記載の装置。
［Ｃ５５］
基地局から前記ＵＥに、前記ＵＥのためにスケジュールされた前記ダウンリンクＣＣを示す複数のダウンリンク許可を送信するための手段と、
複数のＤＡＩを送信するための手段と、ここにおいて、前記複数のダウンリンク許可の各々が前記複数のＤＡＩ中の前記ＤＡＩのそれぞれの１つを含む、をさらに備える、Ｃ３２に記載の装置。
［Ｃ５６］
前記複数のＤＡＩが複数のシーケンス番号を備え、前記装置が、
前記ＰＵＣＣＨ  ＡＣＫ／ＮＡＫペイロード中に含まれるべき前記ビット数を増加させるために、前記複数のシーケンス番号中にシーケンス不連続性を導入するための手段をさらに備える、Ｃ５５に記載の装置。
［Ｃ５７］
前記ＰＵＣＣＨ  ＡＣＫ／ＮＡＫペイロードを受信するための手段と、
前記ＰＵＣＣＨ  ＡＣＫ／ＮＡＫペイロード中のＡＣＫ／ＮＡＫビットのセットを使用するための手段と、ＡＣＫ／ＮＡＫビットの前記セットが仮想巡回冗長検査（ＣＲＣ）として前記シーケンス不連続性に対応する、をさらに備える、Ｃ５６に記載の装置。
［Ｃ５８］
前記ＵＥにおいて、少なくとも２つの異なるアップリンクＣＣを識別するＡＣＫ／ＮＡＫリソースインジケータ（ＡＲＩ）を受信するための手段をさらに備える、Ｃ３２に記載の装置。
［Ｃ５９］
前記ＵＥにおいて、前記ＵＥのためにスケジュールされた前記ダウンリンクＣＣを示すいくつかのダウンリンク許可を受信するための手段をさらに備え、
ここにおいて、前記ＰＵＣＣＨ  ＡＣＫ／ＮＡＫペイロードの前記フォーマットを選択するための前記手段が、前記ＰＵＣＣＨ  ＡＣＫ／ＮＡＫペイロードを送信するために使用されるフォーマットを選択するための手段を備える、Ｃ３２に記載の装置。
［Ｃ６０］
基地局から前記ＵＥに、前記ＵＥのためにスケジュールされた前記ダウンリンクＣＣを示す複数のダウンリンク許可を送信するための手段をさらに備え、
ここにおいて、前記ＰＵＣＣＨ  ＡＣＫ／ＮＡＫペイロードの前記フォーマットを選択するための前記手段が、前記ＰＵＣＣＨ  ＡＣＫ／ＮＡＫペイロードを復号するために使用されるフォーマットを選択するための手段を備える、Ｃ３２に記載の装置。
［Ｃ６１］
ダウンリンクＣＣの少なくとも２つのグループを構成するための手段をさらに備え、ここにおいて、前記ＰＵＣＣＨ  ＡＣＫ／ＮＡＫペイロードの前記フォーマットを選択することが、ダウンリンクＣＣの前記少なくとも２つのグループの各々について実行される、Ｃ３２に記載の装置。
［Ｃ６２］
ダウンリンクＣＣの少なくとも２つのグループを構成するための手段をさらに備え、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、Ｃ３２に記載の装置。
［Ｃ６３］
ワイヤレス通信のための装置であって、
プロセッサと、
前記プロセッサと電子通信しているメモリと、
前記メモリに記憶された命令とを備え、前記命令が、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定することと、
前記決定されたビット数に少なくとも部分的に基づいて、前記ＰＵＣＣＨ  ＡＣＫ／ＮＡＫペイロードのフォーマットを選択することとを行うために前記プロセッサによって実行可能である、装置。
［Ｃ６４］
前記ＰＵＣＣＨ  ＡＣＫ／ＮＡＫペイロードの前記フォーマットを選択するために前記プロセッサによって実行可能な前記命令が、
前記ＰＵＣＣＨ  ＡＣＫ／ＮＡＫペイロードのための複数のあらかじめ定義されたフォーマットのうちの１つを選択するために前記プロセッサによって実行可能な命令を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数の異なる組合せを備える、Ｃ６３に記載の装置。
［Ｃ６５］
前記ＰＵＣＣＨ  ＡＣＫ／ＮＡＫペイロードの前記選択されたフォーマットが、スロットごとに２つの基準信号シンボル期間を備えるフォーマットに少なくとも部分的に基づく、Ｃ６３に記載の装置。
［Ｃ６６］
前記ＰＵＣＣＨ  ＡＣＫ／ＮＡＫペイロードの前記選択されたフォーマットが、さらに、スロットごとに１つの基準信号シンボルを備えるフォーマットに少なくとも部分的に基づく、Ｃ６３に記載の装置。
［Ｃ６７］
前記ＰＵＣＣＨ  ＡＣＫ／ＮＡＫペイロードの前記フォーマットを選択するために前記プロセッサによって実行可能な前記命令が、
前記ＰＵＣＣＨ  ＡＣＫ／ＮＡＫペイロード中に含まれるべき前記ビット数を複数のビット範囲と比較することと、
前記比較することに少なくとも部分的に基づいて前記ＰＵＣＣＨ  ＡＣＫ／ＮＡＫペイロードの前記フォーマットを選択することとを行うために前記プロセッサによって実行可能な命令を備える、Ｃ６３に記載の装置。
［Ｃ６８］
前記命令が、
前記ＵＥのための複数のダウンリンクＣＣの割振りを識別することと、
前記複数のダウンリンクＣＣ内のダウンリンクＣＣの第１のサブセットを識別することとを行うために前記プロセッサによって実行可能であり、
ここにおいて、前記ＰＵＣＣＨ  ＡＣＫ／ＮＡＫペイロード中に含まれるべき前記ビット数がダウンリンクＣＣの前記第１のサブセットのために識別される、Ｃ６３に記載の装置。
［Ｃ６９］
前記命令が、
前記ＵＥにおいて、前記ＵＥのためにスケジュールされた前記ダウンリンクＣＣを示すいくつかのダウンリンク許可を受信することと、
前記ダウンリンク許可の各々とともに、それぞれのダウンリンク割当てインデックス（ＤＡＩ）を受信することとを行うために前記プロセッサによって実行可能である、Ｃ６３に記載の装置。
［Ｃ７０］
前記命令は、
基地局から前記ＵＥに、前記ＵＥのためにスケジュールされた前記ダウンリンクＣＣを示す複数のダウンリンク許可を送信することと、
複数のＤＡＩを送信することと、ここにおいて、前記複数のダウンリンク許可の各々が前記複数のＤＡＩ中の前記ＤＡＩのそれぞれの１つを含む、を行うために前記プロセッサによって実行可能である、Ｃ６３に記載の装置。
［Ｃ７１］
前記命令が、
ダウンリンクＣＣの少なくとも２つのグループを構成するために前記プロセッサによって実行可能であり、ここにおいて、前記ＰＵＣＣＨ  ＡＣＫ／ＮＡＫペイロードの前記フォーマットを選択することが、ダウンリンクＣＣの前記少なくとも２つのグループの各々について実行される、Ｃ６３に記載の装置。
［Ｃ７２］
前記命令が、
ダウンリンクＣＣの少なくとも２つのグループを構成するために前記プロセッサによって実行可能であり、ここにおいて、前記ＰＵＣＣＨ  ＡＣＫ／ＮＡＫペイロードの前記フォーマットを選択することが、ダウンリンクＣＣの各グループ内の前記ダウンリンクＣＣのためのＡＣＫ／ＮＡＫビットのバンドリングを考慮して実行される、Ｃ６３に記載の装置。
［Ｃ７３］
非一時的コンピュータ可読媒体を備えるコンピュータプログラム製品であって、前記非一時的コンピュータ可読媒体が、
報告間隔中にユーザ機器（ＵＥ）のためにスケジュールされたダウンリンクコンポーネントキャリア（ＣＣ）の数に少なくとも部分的に基づいて、前記報告間隔について物理アップリンク制御チャネル（ＰＵＣＣＨ）肯定応答／否定応答（ＡＣＫ／ＮＡＫ）ペイロード中に含まれるべきビット数を決定するための命令と、
前記決定されたビット数に少なくとも部分的に基づいて、前記ＰＵＣＣＨ  ＡＣＫ／ＮＡＫペイロードのフォーマットを選択するための命令とを備える、コンピュータプログラム製品。
［Ｃ７４］
前記ＰＵＣＣＨ  ＡＣＫ／ＮＡＫペイロードの前記フォーマットを選択するための前記命令が、
前記ＰＵＣＣＨ  ＡＣＫ／ＮＡＫペイロードのための複数のあらかじめ定義されたフォーマットのうちの１つを選択するための命令を備え、ここにおいて、前記ＰＵＣＣＨ  ＡＣＫ／ＮＡＫペイロードのための前記あらかじめ定義されたフォーマットが、リソースブロック（ＲＢ）内のＵＥ多重化密度、拡散率、またはシンボル期間ごとに割り振られるＲＢの数の異なる組合せを備える、Ｃ７３に記載のコンピュータプログラム製品。
［Ｃ７５］
前記ＰＵＣＣＨ  ＡＣＫ／ＮＡＫペイロードの前記フォーマットを選択するための前記命令が、
前記ＰＵＣＣＨ  ＡＣＫ／ＮＡＫペイロード中に含まれるべき前記ビット数を複数のビット範囲と比較するための命令と、
前記比較することに少なくとも部分的に基づいて前記ＰＵＣＣＨ  ＡＣＫ／ＮＡＫペイロードの前記フォーマットを選択するための命令とを備える、Ｃ７３に記載のコンピュータプログラム製品。
［Ｃ７６］
前記ＵＥのための複数のダウンリンクＣＣの割振りを識別するための命令と、
前記複数のダウンリンクＣＣ内のダウンリンクＣＣの第１のサブセットを識別するための命令とをさらに備え、
ここにおいて、前記ＰＵＣＣＨ  ＡＣＫ／ＮＡＫペイロード中に含まれるべき前記ビット数がダウンリンクＣＣの前記第１のサブセットのために識別される、Ｃ７３に記載のコンピュータプログラム製品。